(57)【特許請求の範囲】
【請求項１】
上面が開放した箱形の第１コンテナと、前記第１コンテナ上に複数横並びにして段積み可能な第２コンテナとの間のコンテナ段積み係合構造であって、
前記第２コンテナの下面外縁部より内側の領域から突出した下面メイン突部と、
前記第２コンテナの下面外縁部の四隅から突出した下面サブ突部と、
前記第１コンテナの側壁上面に陥没形成されて、前記第２コンテナの前記下面サブ突部を受容する複数の側壁上面凹部とを有するコンテナ段積み係合構造において、
前記第１コンテナの側壁上面における長手方向の中間には、前記第１コンテナ上の２つの前記第２コンテナの間で隣り合わせとなる２つの前記下面サブ突部毎に２つの前記側壁上面凹部が設けられると共に、前記側壁上面凹部の底面から起立して側壁上面の長手方向に延び、少なくとも一端部が前記側壁上面凹部の側方壁部に接続された係合リブが設けられ、
前記下面サブ突部又は前記下面サブ突部と前記下面メイン突部との間には、前記係合リブと係合する係合溝が形成されたことを特徴とするコンテナ段積み係合構造。
【請求項２】
前記係合リブの両端部が、前記側壁上面凹部の側方壁部に接続されていることを特徴とする請求項１に記載のコンテナ段積み係合構造。
【請求項３】
２つの前記下面サブ突部毎の２つの前記側壁上面凹部の各前記係合リブは、それら２つの側壁上面凹部を仕切る側方壁部としての仕切壁に一端部のみが接続され、
前記第２コンテナには、前記係合リブの他端部と前記仕切壁と反対側の側方壁部との間に受容されて、前記下面サブ突部と前記下面メイン突部との間を連絡する連絡壁が設けられていることを特徴とする請求項１又は２に記載のコンテナ段積み係合構造。
【発明の詳細な説明】
【技術分野】
【０００１】
本発明は、第１コンテナと、その第１コンテナ上に複数横並びにして段積みされる第２コンテナとの間のコンテナ段積み係合構造に関する。
【背景技術】
【０００２】
従来、この種のコンテナ段積み係合構造として、第１コンテナの上面四隅と側壁上面の中央とに側壁上面凹部を設けて、その第１コンテナ上に２つの小型の第２コンテナを横並びにして段積みしたときに、両第２コンテナの下面四隅の下面サブ突部が、第１コンテナの側壁上面凹部に受容されるようにしたものが知られている。また、第１コンテナの側壁上面の中央の側壁上面凹部には、その底面から係合突起が突出していて、その係合突起が各第２コンテナの下面サブ突部に備えた係合凹部と係合することで、第２コンテナが第１コンテナの内側にずれて落ち込むことを防いでいた（例えば、特許文献１参照）。
【先行技術文献】
【特許文献】
【０００３】
【特許文献１】特許第４１２１５１７号(図１，図３）
【発明の概要】
【発明が解決しようとする課題】
【０００４】
しかしながら、上記した従来のコンテナ段積み係合構造では、係合突起が第２コンテナから受ける負荷によって破損することがあった。また、第１コンテナ上で第２コンテナを傾斜姿勢にして第１コンテナの側壁上面の中央の側壁上面凹部に２つの下面サブ突部を先に収めてから第２コンテナを水平姿勢にして残りの２つの下面サブ突部を側壁上面凹部内に収めるに操作を行うと、上記した従来のコンテナ段積み係合構造では、係合突起が下面サブ突部の外側面に引っ掛かって、段積み作業をスムーズに行うことができないことがあった。
【０００５】
本発明は、上記事情に鑑みてなされたもので、コンテナの段積み状態における強度が従来より高く、また、コンテナの段積み作業をスムーズに行うことが可能なコンテナ段積み係合構造の提供を目的とする。
【課題を解決するための手段】
【０００６】
上記目的を達成するためになされた請求項１の発明に係るコンテナ段積み係合構造は、上面が開放した箱形の第１コンテナと、第１コンテナ上に複数横並びにして段積み可能な第２コンテナとの間のコンテナ段積み係合構造であって、第２コンテナの下面外縁部より内側の領域から突出した下面メイン突部と、第２コンテナの下面外縁部の四隅から突出した下面サブ突部と、第１コンテナの側壁上面に陥没形成されて、第２コンテナの下面サブ突部を受容する複数の側壁上面凹部とを有するコンテナ段積み係合構造において、第１コンテナの側壁上面における長手方向の中間には、第１コンテナ上の２つの第２コンテナの間で隣り合わせとなる２つの下面サブ突部毎に２つの側壁上面凹部が設けられると共に、側壁上面凹部の底面から起立して側壁上面の長手方向に延び、少なくとも一端部が側壁上面凹部の側方壁部に接続された係合リブが設けられ、下面サブ突部又は下面サブ突部と下面メイン突部との間には、係合リブと係合する係合溝が形成されたところに特徴を有する。
【０００７】
請求項２の発明は、請求項１に記載のコンテナ段積み係合構造において、係合リブの両端部が、側壁上面凹部の側方壁部に接続されているところに特徴を有する。
【００１０】
請求項３の発明は、請求項１又は２に記載のコンテナ段積み係合構造において、２つの下面サブ突部毎の２つの側壁上面凹部の各係合リブは、それら２つの側壁上面凹部を仕切る側方壁部としての仕切壁に一端部のみが接続され、第２コンテナには、係合リブの他端部と仕切壁と反対側の側方壁部との間に受容されて、下面サブ突部と下面メイン突部との間を連絡する連絡壁が設けられているところに特徴を有する。
【発明の効果】
【００１１】
［請求項１の発明］
請求項１のコンテナ段積み係合構造では、第１コンテナの側壁上面凹部に設けられた係合リブと、第２コンテナの下面に備えた係合溝との係合により、第２コンテナが第１コンテナの内側にずれて落ち込むことを防ぐことができる。そして、その係合リブは、少なくとも一端部が側壁上面凹部の側方壁部に接続されることで補強されているので、第１と第２のコンテナの段積み状態における強度が従来より高くなる。また、係合リブは、側壁上面の長手方向に延びているので、第１コンテナ上で第２コンテナを傾斜姿勢にして段積みを行う際に、係合リブと係合溝とを係合させた状態で滑らせることができ、スムーズに段積み作業を行うことができる。また、第１コンテナ上の２つの第２コンテナの間で隣り合わせとなる２つの下面サブ突部毎に２つの側壁上面凹部が設けられているので、第１コンテナ上における第２コンテナの位置決めが容易になると共に、第２コンテナの横ずれ防止機能も高くなる。
【００１２】
［請求項２の発明］
請求項２のコンテナ段積み係合構造では、係合リブの両端部が側壁上面凹部の側方壁部に接続されているので、係合リブの一端部のみが側壁上面凹部の側方壁部に接続されているものに比べて係合リブの強度がより高くなり、第１と第２のコンテナの段積み状態における強度も高くなる。
【００１５】
［請求項３の発明］
請求項３のコンテナ段積み係合構造によれば、隣り合わせとなる２つの側壁上面凹部の各係合リブは、一端部のみが仕切壁に接続されているので、係合リブの他端部と仕切壁と反対側の側方壁部との間に受容される連絡壁を第２コンテナに設けて下面サブ突部と下面メイン突部との間を連絡することができ、下面サブ突部の強度を上げることができる。
【図面の簡単な説明】
【００１６】
【図１】本発明の一実施形態に係る第１及び第２のコンテナの段積状態の斜視図
【図２】第１コンテナの上面側の斜視図
【図３】折り畳まれる途中又は組み立てられる途中の第１コンテナの斜視図
【図４】折畳状態の第１コンテナの斜視図
【図５】長辺側壁を折り畳む途中の第１コンテナの部分斜視図
【図６】第１コンテナの下面側の斜視図
【図７】第１コンテナの下面側の部分斜視図
【図８】第１コンテナの上面側の部分斜視図
【図９】段積みされた第１コンテナの斜視図
【図１０】第２コンテナの上面側の斜視図
【図１１】第２コンテナの下面側の斜視図
【図１２】第２コンテナの下面側の部分斜視図
【図１３】第１コンテナに第２コンテナを段積みする途中の斜視図
【図１４】第１コンテナに第２コンテナを段積みした状態の一部破断斜視図
【図１５】第１コンテナに第２コンテナを段積みした状態の部分側断面図
【図１６】本発明の変形例に係る第１コンテナの長辺側壁の斜視図
【図１７】本発明の変形例に係る第１コンテナの長辺側壁の斜視図
【図１８】本発明の変形例に係る第２コンテナの下面側の部分斜視図
【図１９】本発明の変形例に係る第２コンテナの下面側の部分斜視図
【発明を実施するための形態】
【００１７】
以下、本発明の一実施形態を図１〜図１５に基づいて説明する。図１には本発明に係る第１及び第２のコンテナ１０，６０が示されている。これら第１及び第２のコンテナ１０，６０は、共に上面が開放した箱形で平面形状が例えば長方形になっている。また、第２コンテナ６０の平面形状は、第１コンテナ１０の平面形状を長手方向の中央で半分にした大きさをなし、第１コンテナ１０上に第２コンテナ６０を２つ横並びにして段積みすることができるようになっている。そして、これら第１と第２のコンテナ１０，６０の間に本発明に係るコンテナ段積み係合構造が備えられている。
【００１８】
まず、第１コンテナ１０の構造について説明する。第１コンテナ１０は、所謂、折畳コンテナであって、図３に示すように１対の長辺側壁２１，２１を下端部を中心に回動させて折り畳んでから、図４に示すように１対の短辺側壁３１，３１を下端部を中心に回動させて折り畳むことで折畳状態になり、それとは逆の順序で、短辺側壁３１，３１、長辺側壁２１，２１を起立させることで組立状態になる。
【００１９】
また、図３に示すように、第１コンテナ１０の短辺側壁３１の両側部からは、長辺側壁２１，２１側にサイド突片３２が張り出していて、それらサイド突片３２には複数の四角形のサイド係合孔部３３が形成されている。一方、長辺側壁２１の外面の両側部は、サイド突片３２と重なる部分がサイド突片３２の厚さ分だけ陥没していて、その陥没部分から突出した複数のサイド係合突部２３がサイド係合孔部３３に係合している。
【００２０】
各長辺側壁２１には、図２に示したロック機構１７が備えられている。ロック機構１７は、各長辺側壁２１の外面上部における横方向の中央部からそれぞれ横方向の両端部まで延びた１対のロックバー１８，１８をロック操作部１９の操作により互いに接近させる側に動かせるようにしたもので、ロックバー１８，１８は、通常、サイド突片３２の内側に備えたロック係合部３７（図５参照）に係合していて、これにより起立状態の各長辺側壁２１が内側に倒れることが規制されている。そして、ロック操作部１９の操作により、ロックバー１８，１８とロック係合部３７との係合が解除されて、長辺側壁２１を内側に倒すことができるようになる。
【００２１】
図６に示すように、第１コンテナ１０の下面には、１対の下面突部４０，４０が形成されている。具体的には、第１コンテナ１０の下面がその長手方向の中央で２つの半面領域Ｒ１，Ｒ１に分割され、図７に示すように、各半面領域Ｒ１の外縁に沿った枠状領域Ｒ２より内側部分全体から第１下面突部４１が突出すると共に、枠状領域Ｒ２の四隅から１対の第２下面突部４２，４２及び１対の第３下面突部４３，４３が突出して、それら第１〜第３の下面突部４１，４２，４３から下面突部４０が構成されている。
【００２２】
第１下面突部４１は、枠状領域Ｒ２の内側境界線に沿って形成された包囲リブ４１Ａと、その包囲リブ４１Ａの内側全体に張り巡らされた格子リブ４１Ｂとからなる。
【００２３】
１対の第２下面突部４２，４２は、第１コンテナ１０の下面における長手方向の両端部に配置されている。各第２下面突部４２は、枠状領域Ｒ２の角部外縁寄り位置に配置されて、包囲リブ４１Ａの角部を側方から覆ったＬ字形のＬ字壁４２Ａと、Ｌ字壁４２Ａの両端部と包囲リブ４１Ａの角部寄り位置との間を連絡し、Ｌ字壁４２Ａから包囲リブ４１Ａに向かうに従って包囲リブ４１Ａの角部から離れるように傾斜した１対の傾斜リブ４２Ｂ，４２Ｂと、包囲リブ４１Ａ及び格子リブ４１Ｂの延長線上に延びて包囲リブ４１ＡとＬ字壁４２Ａとの間を連絡する補強リブ４２Ｃとからなる。
【００２４】
１対の第３下面突部４３，４３は、第１コンテナ１０の下面における長手方向の中央側に配置され、第２下面突部４２と同様に、Ｌ字壁４３Ａと１対の傾斜リブ４３Ｂ，４３Ｂと補強リブ４３Ｃとからなる。また、第３下面突部４３のうち起立状態の長辺側壁２１の真下となる部分には、第１下面突部４１寄り位置に、長辺側壁２１の横方向に延びた係合溝４３Ｄが形成されている。係合溝４３Ｄは、第３下面突部４３の下端部を角溝状に切り欠いた形状をなしている。
【００２５】
上記した枠状領域Ｒ２のうち１対の第１下面突部４１，４１に挟まれた部分を除いた全体は、起立姿勢の長辺側壁２１及び短辺側壁３１の真下に位置する。即ち、第１コンテナ１０の下面のうち枠状領域Ｒ２より内側部分全体に形成された第１下面突部４１，４１は、第１コンテナ１０の下面のうち起立姿勢の長辺側壁２１及び短辺側壁３１の真下より内側の領域から突出した構造になっている。
【００２６】
図２に示すように、第１コンテナ１０には、上面四隅に上面コーナー凹部５０が設けられると共に、各長辺側壁２１の上面中央に上面中間凹部５３が設けられている。なお、本実施形態では、これら上面コーナー凹部５０と上面中間凹部５３とが本発明に係る「側壁上面凹部」に相当する。
【００２７】
上面コーナー凹部５０は、図２に示すように、第１コンテナ１０の上面の四隅の角部で隣り合った長辺側壁２１と短辺側壁３１とに亘る略Ｌ字状の領域を段付き状に陥没させてなり、第１コンテナ１０，１０を段積みしたときに、上段側の第１コンテナ１０の第２下面突部４２を受容する。また、図８に示すように、上面コーナー凹部５０より長辺側壁２１及び短辺側壁３１の外面側には、長辺側壁２１及び短辺側壁３１の一部が垂直壁５０Ｗとして残され、その垂直壁５０Ｗの一部は、前記したサイド突片３２の上端部で構成されている。さらに、長辺側壁２１には、サイド突片３２が重なる部分よりさらに角部から離れた位置に亘って上面コーナー凹部５０が形成されている。また、長辺側壁２１における上面コーナー凹部５０の底面からは、コーナー係合突部５１が突出している。そのコーナー係合突部５１の上面は、長辺側壁２１及び短辺側壁３１の上面より下方に位置している。なお、上面コーナー凹部５０のうち角部から離れた２つの内側面は、第２下面突部４２の傾斜リブ４２Ｂ，４２Ｂと平行になるように垂直壁５０Ｗの内面に対して傾斜している。
【００２８】
一方、上面中間凹部５３は、各長辺側壁２１の上面における長手方向の中央に２つずつ隣り合わせに設けられている。具体的には、図８に示すように、長辺側壁２１の上面中央には、長辺側壁２１の上面の長手方向に延びかつ長辺側壁２１の上面から段付き状に陥没した側壁上面溝５９が形成され、その側壁上面溝５９が長手方向の中央で仕切壁５４によって１対の上面中間凹部５３，５３に２分割されている。また、側壁上面溝５９の長手方向の両端の内側面は、仕切壁５４から離れるに従って長辺側壁２１の内側面に接近する傾斜面５３Ｓになっている。そして、側壁上面溝５９のうち上面中間凹部５３より長辺側壁２１の内面側に残された部分が本発明に係る係合リブ５３Ｖになっている。即ち、係合リブ５３Ｖは、上面中間凹部５３の底面のうち長辺側壁２１の内側面側の縁部から起立して長辺側壁２１の上面の長手方向に延び、両端部が上面中間凹部５３の側方壁部（具体的には、傾斜面５３Ｓを有する壁部と仕切壁５４）に接続されている。また、係合リブ５３Ｖの上面は、長辺側壁２１の上面より僅かに低く、係合リブ５３Ｖのうち長辺側壁２１側の側面は、長辺側壁２１全体の内側面と面一になっている。
【００２９】
図９に示すように第１コンテナ１０，１０を段積みすると、上段側の第１コンテナ１０の第１下面突部４１，４１（図６参照）が、下段側の第１コンテナ１０の上面開口の内側に嵌合され、第２下面突部４２（図６参照）が下段側の第１コンテナ１０の上面コーナー凹部５０に受容され、各第３下面突部４３（図７参照）のうち係合溝４３Ｄより外側部分が、下段側の第１コンテナ１０の各上面中間凹部５３に受容される。また、上面コーナー凹部５０のコーナー係合突部５１（図８参照）が第２下面突部４２のうち補強リブ４２Ｃにて仕切られた１つの凹部としてのコーナー係合凹部４２Ｄ（図７参照）に係合し、第３下面突部４３の係合溝４３Ｄに上面中間凹部５３の係合リブ５３Ｖが係合する。
【００３０】
次に、図１０〜図１５に基づいて、第２コンテナ６０の構造について説明する。図１０に示すように、第２コンテナ６０も、第１コンテナ１０と同様に折畳コンテナであって、１対の短辺側壁６２，６２を折り畳んでから１対の長辺側壁６１，６１を折り畳むことで折畳状態になる。また、第２コンテナ６０の上面四隅には、上面コーナー凹部６４が陥没形成されていて、それら上面コーナー凹部６４は、前記したコーナー係合突部５１（図８参照）を有していない点を除いては、第１コンテナ１０の上面コーナー凹部５０と同一形状になっている。
【００３１】
図１１に示すように、第２コンテナ６０の下面には、外縁部を除く全体に下面メイン突部６８が形成されると共に、外縁部の四隅に下面サブ突部６５が形成されている。下面メイン突部６８は、第２コンテナ６０の下面のうち長辺側壁６１，６１及び短辺側壁６２，６２の真下となる枠状領域Ｒ３の内側境界線に沿って形成された包囲リブ６８Ａと、その包囲リブ６８Ａの内側全体に張り巡らされた格子リブ６８Ｂとからなり、第１コンテナ１０の第１下面突部４１と同一形状をなしている。
【００３２】
下面サブ突部６５は、第１コンテナ１０の第３下面突部４３と同一形状をなしている。即ち、図１２に示すように、下面サブ突部６５は、包囲リブ６８Ａの角部を側方から覆ったＬ字形のＬ字壁６５Ａと、Ｌ字壁６５Ａの両端部と包囲リブ６８Ａの角部寄り位置との間を連絡し、Ｌ字壁６５Ａから包囲リブ６８Ａに向かうに従って包囲リブ６８Ａの角部から離れるように傾斜した１対の傾斜リブ６５Ｂ，６５Ｂと、包囲リブ６８Ａ及び格子リブ６８Ｂの延長線上に延びて包囲リブ６８ＡとＬ字壁６５Ａとの間を連絡する補強リブ６５Ｃとからなる。そして、下面サブ突部６５のうち起立状態の短辺側壁６２の真下となる部分には、下面メイン突部６８側に、短辺側壁６２の横方向に延びた係合溝６６が形成されている。その係合溝６６は、下面サブ突部６５の下端部を角溝状に切り欠いた形状をなしている。
【００３３】
図示しないが第２コンテナ６０，６０を段積みすると、上段側の第２コンテナ６０の下面メイン突部６８が、下段側の第２コンテナ６０の上面開口の内側の内側に嵌合されると共に、上段側の第２コンテナ６０の下面サブ突部６５が下段側の第２コンテナ６０の上面コーナー凹部６４に受容される。
【００３４】
本実施形態の第１と第２のコンテナ１０，６０のコンテナ段積み係合構造に係る構成の説明は、以上である。次に、このコンテナ段積み係合構造の作用効果について説明する。第１コンテナ１０上に第２コンテナ６０を段積みするには、例えば、図１３に示すように第２コンテナ６０を傾斜姿勢にして第１コンテナ１０の上面中間凹部５３，５３に第２コンテナ６０の短手方向の一端の下面サブ突部６５，６５に収める。すると、このとき上面中間凹部５３の係合リブ５３Ｖ，５３Ｖと下面サブ突部６５，６５の係合溝６６，６６とが係合するので、係合リブ５３Ｖに沿って第２コンテナ６０の下端部を滑らせながら下面サブ突部６５の外側面が仕切壁５４に当接する位置まで第２コンテナ６０を移動することができる。そして、第２コンテナ６０を水平姿勢にすると第２コンテナ６０の下面四隅の下面サブ突部６５が第１コンテナ１０の上面中間凹部５３と上面コーナー凹部５０とに収まり、上面コーナー凹部５０においてはコーナー係合突部５１が下面サブ突部６５のうち補強リブ６５Ｃにて仕切られた１つの凹部としてのコーナー係合凹部６５Ｄ（図１２参照）に係合した状態になり、上面中間凹部５３においては、図１４及び図１５に示すように、下面サブ突部６５の係合溝６６に上面中間凹部５３の係合リブ５３Ｖが係合した状態になる。次いで、第１コンテナ１０上の残りの半面にもう一つの第２コンテナ６０を段積みして、これにより、図１に示すように、第１コンテナ１０の上に２つの第２コンテナ６０，６０が横並びになって段積みされた状態になる。
【００３５】
なお、横並び状態で段積みされた２つの第２コンテナ６０，６０の上に別の第１コンテナ１０を段積みすることができ、その場合、第１コンテナ１０の下面の各第１下面突部４１が各第２コンテナ６０の上面開口の内側に受容されることになる。
【００３６】
ところで、第１コンテナ１０上に第２コンテナ６０が段積みされた状態で車両に搭載され、搬送されると加減速時に第２コンテナ６０と第１コンテナ１０との間に横荷重が作用する。また、第１コンテナ１０に多くの荷物が収容されていると、第１コンテナ１０の長辺側壁２１及び短辺側壁３１が側方に膨らませるような負荷を受けることもある。そして、これら荷重により、第２コンテナ６０の下面サブ突部６５が上面中間凹部５３から第１コンテナ１０の内側にずれると、第２コンテナ６０が第１コンテナ１０内に落ち込んで荷崩れが生じる。
【００３７】
しかしながら、本実施形態のコンテナ段積み係合構造では、第１コンテナ１０の上面中間凹部５３に設けられた係合リブ５３Ｖと、第２コンテナ６０の下面に備えた係合溝６６との係合により、第２コンテナ６０が第１コンテナ１０の内側にずれて落ち込むことを防ぐことができる。そして、その係合リブ５３Ｖは、両端部が上面中間凹部５３の側方壁部に接続されることで補強されているので、第１と第２のコンテナ１０，６０の段積み状態における強度が従来より高くなる。
【００３８】
しかも、係合リブ５３Ｖは、長辺側壁２１の上面の長手方向に延びているので、上述の如く、第１コンテナ１０上で第２コンテナ６０を傾斜姿勢にして段積みを行う際に、係合リブ５３Ｖと係合溝６６とを係合させた状態で滑らせることができ、スムーズに段積み作業を行うことができる。また、第１コンテナ１０の隣り合わせとなる２つの上面中間凹部５３，５３は仕切壁５４で仕切られているので、仕切壁５４と第２コンテナ６０の下面サブ突部６５との当接により第１コンテナ１０の長手方向における第２コンテナ６０の横ずれを規制することができ、かつ、段積み作業時における第２コンテナ６０の位置決めも容易に行うことができる。
【００３９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４０】
（１）前記実施形態では、第１コンテナ１０に２つの第２コンテナ６０が横並びに段積みされる例を示したが、第１コンテナに３つ以上の第２コンテナが横並びに段積みされるコンテナ段積み係合構造に本発明を適用してもよい。
【００４１】
（２）前記実施形態の第１コンテナ１０において横並びになった上面中間凹部５３，５３は仕切壁５４によって仕切られていたが、図１６（Ａ）に示すように前記第１実施形態の上面中間凹部５３，５３の間の仕切壁５４を排除し、各長辺側壁２１の上面中央に、２つの下面サブ突部６５，６５毎に１つの上面中央凹部５３Ｈ（即ち、本発明の「側壁上面凹部）」）が設けられた構成にしてもよい。そのようにすれば、共通の上面中間凹部５３Ｈに２つの下面サブ突部６５，６５が受容されるので、第１コンテナ１０上で第２コンテナ６０を傾斜姿勢にして上面中間凹部５３Ｈに下面サブ突部６５を収める操作が容易になる。
【００４２】
（３）前記実施形態の第１コンテナ１０では、上面中間凹部５３，５３同士を仕切る仕切壁５４の上面が、長辺側壁２１全体の上面と面一であったが、図１６（Ｂ）に示すように、仕切壁５４Ａの上面が、長辺側壁２１全体の上面より低くなっていてもよいし、また、図示しないが仕切壁を係合リブに接続された三角リブにしてもよい。
【００４３】
（４）前記実施形態の係合リブ５３Ｖは、長辺側壁２１の全体の上面より低くなっていたが、係合リブ５３Ｖの上面を長辺側壁２１の全体の上面と面一にしてもよい。但し、前記実施形態のように係合リブ５３Ｖの上面を長辺側壁２１の全体の上面より下げることで、第２コンテナ６０には、下面サブ突部６５と下面メイン突部６８とを間を接続する低いリブ（図１２参照）を設けることができ、下面サブ突部６５の強度を高くすることができる。
【００４４】
（５）図１７（Ａ）に示すように、係合リブ５３Ｖは、仕切壁５４のみに接続されている構造や、それとは逆に、図１７（Ｂ）に示すように、係合リブ５３Ｖが仕切壁５４とは反対側の上面中間凹部５３の側方壁部のみに接続されている構造としてよい。これらの構造によれば、図１８，１９に示すように、係合溝６６の一端側で下面サブ突部６５と下面メイン突部６８とを間を連絡する傾斜リブ６５ＢやＬ字壁６５Ａを本発明に係る「連絡壁」として残すことができ、下面サブ突部６５の強度を高くすることができる。
【符号の説明】
【００４５】
１０    第１コンテナ
２１    長辺側壁
３１    短辺側壁
５０    上面コーナー凹部
５３，５３Ｈ    上面中間凹部（側壁上面凹部）
５３Ｖ    係合リブ
５４，５４Ａ    仕切壁
６０    第２コンテナ
６１    長辺側壁
６２    短辺側壁
６５    下面サブ突部
６６    係合溝
６８    下面メイン突部
【図１】
0006333641.tif 000002
【図２】
0006333641.tif 000003
【図３】
0006333641.tif 000004
【図４】
0006333641.tif 000005
【図５】
0006333641.tif 000006
【図６】
0006333641.tif 000007
【図７】
0006333641.tif 000008
【図８】
0006333641.tif 000009
【図９】
0006333641.tif 000010
【図１０】
0006333641.tif 000011
【図１１】
0006333641.tif 000012
【図１２】
0006333641.tif 000013
【図１３】
0006333641.tif 000014
【図１４】
0006333641.tif 000015
【図１５】
0006333641.tif 000016
【図１６】
0006333641.tif 000017
【図１７】
0006333641.tif 000018
【図１８】
0006333641.tif 000019
【図１９】
0006333641.tif 000020